(57)【特許請求の範囲】
【請求項１】
剥離紙に両面粘着剤層が積層されたロール状の両面テープを保持する回転可能な両面テープ保持体と、上記両面テープから剥離される剥離紙を巻き取る回転可能な剥離紙保持体と、上記両保持体にそれぞれ設けられ互いに噛合するギアと、上記両面テープ保持体から引き出された両面テープを被貼付面に押圧する支持部材と、を具備するディスペンサ本体と、
上記ディスペンサ本体を摺動自在に嵌装する筒状のケースと、
上記ディスペンサ本体とケースとの間に介在され、上記ディスペンサ本体を常時ケースから離反する方向へ弾性力を付勢するばね部材と、
上記ばね部材の弾性力に抗して上記ディスペンサ本体を上記ケース内に押し付けた際に、ケースに取り付けられたラックに噛合すると共に、上記剥離紙保持体に設けられたギアに噛合し、上記支持部材により両面テープの両面粘着剤層が被貼付面に押圧された状態で噛合が解かれるピニオンと、を具備してなり、
上記ディスペンサ本体を上記ケース内に押し付けて上記支持部材が両面テープの両面粘着剤層を被貼付面に押圧した後、ディスペンサ本体の押し付けを解除することにより、両面粘着剤層を被貼付面にスポット状に貼付し、あるいは、両面粘着剤層を被貼付面に押圧した状態で上記ディスペンサ本体及びケースを被貼付面上に沿って移動することにより、両面粘着剤層を被貼付面上にライン状に貼付する、ことを特徴とする両面テープ・ディスペンサ。
【請求項２】
剥離紙に両面粘着剤層が積層されたロール状の両面テープを保持する回転可能な両面テープ保持体と、上記両面テープから剥離される剥離紙を巻き取る回転可能な剥離紙保持体と、上記両保持体にそれぞれ設けられ互いに噛合するギアと、上記両面テープ保持体から引き出された両面テープを被貼付面に押圧する支持部材と、を具備するディスペンサ本体と、
上記ディスペンサ本体を摺動自在に嵌装する筒状のケースと、
上記ディスペンサ本体とケースとの間に介在され、上記ディスペンサ本体を常時ケースから離反する方向へ弾性力を付勢するばね部材と、
上記ばね部材の弾性力により上記ディスペンサ本体が上記ケースから離反する際に、ケースに取り付けられたラックに噛合すると共に、上記剥離紙保持体に設けられたギアに噛合し、かつ、上記ばね部材の弾性力に抗してディスペンサ本体をケース内に押し付けた際に、上記支持部材により両面テープの両面粘着剤層が被貼付面に押圧された状態で噛合が解かれるピニオンと、を具備してなり、
上記ディスペンサ本体を上記ケース内に押し付けて上記支持部材が両面テープの両面粘着剤層を被貼付面に押圧した後、ディスペンサ本体の押し付けを解除することにより、両面粘着剤層を被貼付面にスポット状に貼付し、あるいは、両面粘着剤層を被貼付面に押圧した状態で上記ディスペンサ本体及びケースを被貼付面上に沿って移動することにより、両面粘着剤層を被貼付面上にライン状に貼付する、ことを特徴とする両面テープ・ディスペンサ。
【請求項３】
請求項１又は２記載の両面テープ・ディスペンサにおいて、
上記両面テープにおける両面粘着剤層に、両面テープの長手方向に沿って適宜間隔をおいて切り込みを形成してなる、ことを特徴とする両面テープ・ディスペンサ。
【請求項４】
請求項１又は２記載の両面テープ・ディスペンサにおいて、
上記両面テープにおける両面粘着剤層が、剥離紙の全面に均一なドット状に積層されている、ことを特徴とする両面テープ・ディスペンサ。
【請求項５】
請求項１又は２記載の両面テープ・ディスペンサにおいて、
上記両面テープにおける両面粘着剤層が、円形，四角形，三角形又はハート形等のパターン形状に形成されると共に、各パターン形状が両面テープの長手方向に沿って適宜間隔をおいて剥離紙に積層されている、ことを特徴とする両面テープ・ディスペンサ。
【請求項６】
請求項１，３，４又は５に記載の両面テープ・ディスペンサにおいて、
上記ピニオンは、ディスペンサ本体に対して該ディスペンサ本体の摺動方向に移動可能な軸に装着されると共に、ディスペンサ本体がケースから離反した状態において剥離紙保持体に設けられたギアと接触すべく補助ばね部材の弾性力が付勢されている、ことを特徴とする両面テープ・ディスペンサ。
【請求項７】
請求項２，３，４又は５に記載の両面テープ・ディスペンサにおいて、
上記ピニオンは、ディスペンサ本体に対して該ディスペンサ本体の摺動方向に移動可能な軸に装着されると共に、ディスペンサ本体がケース内に押し付けられた状態において剥離紙保持体に設けられたギアと接触すべく補助ばね部材の弾性力が付勢されている、ことを特徴とする両面テープ・ディスペンサ。
【請求項８】
請求項１ないし７のいずれかに記載の両面テープ・ディスペンサにおいて、
上記ケースの先端側端部の左右両側に、被貼付面上を走行可能なガイド車輪を更に具備する、ことを特徴とする両面テープ・ディスペンサ。
【請求項９】
請求項１ないし８のいずれかに記載の両面テープ・ディスペンサにおいて、
上記両面テープが外側に両面粘着剤層を有するロール状であって、両面テープ保持体から引き出される両面テープが支持部材を介して剥離紙保持体に案内されている、ことを特徴とする両面テープ・ディスペンサ。
【請求項１０】
請求項１ないし８のいずれかに記載の両面テープ・ディスペンサにおいて、
上記両面テープが内側に両面粘着剤層を有するロール状であって、両面テープ保持体から引き出される両面テープがガイドによって表裏反転された後、支持部材を介して剥離紙保持体に案内されている、ことを特徴とする両面テープ・ディスペンサ。
【請求項１１】
請求項１ないし１０のいずれかに記載の両面テープ・ディスペンサにおいて、
上記剥離紙保持体に設けられるギアを、両面テープ保持体に設けられるギアとピニオンと共に噛合する一つのギアで兼用した、ことを特徴とする両面テープ・ディスペンサ。
【請求項１２】
請求項１ないし１１のいずれかに記載の両面テープ・ディスペンサにおいて、
上記両面テープ保持体又は剥離紙保持体のいずれか一方に、逆転防止機構を具備すると共に、上記両面テープ保持体は、両面テープの引き出し方向に過剰な力が加わった際に両面テープ保持体に設けたギアに対して回転が可能に形成されている、ことを特徴とする両面テープ・ディスペンサ。
【請求項１３】
請求項１ないし１２のいずれかに記載の両面テープ・ディスペンサにおいて、
上記両面テープ保持体及び剥離紙保持体は、両面テープの引き出し方向及び剥離紙の巻き取り方向に過剰な力が加わった際に各保持体に設けたギアに対して回転が可能に形成され、かつ、両面テープ保持体の回転摩擦力に対して剥離紙保持体の回転摩擦力を大きくなるように形成してなる、ことを特徴とする両面テープ・ディスペンサ。
【請求項１４】
請求項１ないし１３のいずれかに記載の両面テープ・ディスペンサにおいて、
上記支持部材と剥離紙保持体との間に、剥離紙に接触して回転可能なテープ移動量調整用のローラを配設し、このローラの回転軸に、ローラの回転方向と反対方向に弾性力が付勢される回転停止用の係止爪を装着し、上記係止爪を上記剥離紙保持体に設けられたギアに係合可能に形成してなる、ことを特徴とする両面テープ・ディスペンサ。
【請求項１５】
請求項１ないし１３のいずれかに記載の両面テープ・ディスペンサにおいて、
上記支持部材と剥離紙保持体との間に、剥離紙に接触して回転可能なローラを配設し、このローラの回転軸に、ローラの回転方向と反対方向に弾性力が付勢され、かつ、該ローラの回転によりピニオンに係合して該ピニオンをラックとの噛合を解除する方向に移動するカムを装着してなる、ことを特徴とする両面テープ・ディスペンサ。
【請求項１６】
請求項１ないし１５のいずれかに記載の両面テープ・ディスペンサにおいて、
上記ディスペンサ本体は、両面テープ保持体に予め両面テープを保持すると共に、両面テープの引き出し側端部を巻き取る剥離紙保持体を内蔵しており、上記ディスペンサ本体をケースに着脱可能に形成してなる、ことを特徴とする両面テープ・ディスペンサ。
【発明の詳細な説明】
【技術分野】
【０００１】
この発明は両面テープ・ディスペンサに関するもので、更に詳細には、被貼付面に両面粘着剤層をスポット状あるいは所定の長さのライン状に貼付可能にした両面テープ・ディスペンサに関するものである。
【背景技術】
【０００２】
従来、例えばポスターや写真等の貼付や封筒の糊付け等に両面テープが使用されている。この両面テープには、心材の両面に粘着剤層を形成した両面粘着剤層と剥離紙を積層したロール状のものが使用されている。
【０００３】
上記両面テープを貼付するディスペンサとして、両面テープを支持するテープ保持体と、剥離紙を支持する剥離紙保持体と、テープ保持体及び剥離紙保持体にそれぞれ設けられて互いに噛合するギアと、テープ保持体から引き出された両面テープから分離された両面粘着剤層を切断する切断刃ホルダと、を具備するものが知られている（例えば、特許文献１参照）。
【０００４】
また、別のディスペンサとして、ケース内に内蔵されている両面テープと、両面テープが巻き掛けられており、両面テープ本体を被貼付面に貼付するとき当該部分で両面テープ本体と剥離テープとが分離される転移部と、転移部で分離された剥離紙をケース外に排出する剥離紙排出部と、ケース外に排出された剥離紙を切断する切断手段と、を具備するものが知られている（例えば、特許文献２参照）。
【特許文献１】特開平７−２５２０１０号公報（段落番号００１６〜００２０、図４，図５）
【特許文献２】特開２０００−３０２３１６号公報（特許請求の範囲、図１，図５）
【発明の開示】
【発明が解決しようとする課題】
【０００５】
しかしながら、前者すなわち特開平７−２５２０１０号公報に記載のものは、テープ保持体から引き出された両面テープの両面粘着剤層を剥離紙から分離して被貼付面に貼付した後、切断刃ホルダの切断刃で切断する構造であるため、構造が複雑な上、貼付作業が面倒であった。特に、両面粘着剤層をスポット状に貼付する場合において長さのコントロールが難しいという問題があった。
【０００６】
また、後者すなわち特開２０００−３０２３１６号公報に記載のものは両面テープを支持する保持体を具備し、両面テープから分離された剥離紙を外部に排出する構造であるため、前者に比べて構造を簡単にすることができる。しかし、特開２０００−３０２３１６号公報に記載のものにおいても、両面粘着剤層を必要な長さまで貼付した後、指でケースの両側面のほぼ中央を押圧してテープロール体の回転を停止させた状態で、排出口から排出された剥離紙を切断刃によって切断するため、貼付作業が面倒であった。また、特に、両面粘着剤層をスポット状に貼付する場合において長さのコントロールが難しいという問題があった。
【０００７】
この発明は、上記事情に鑑みてなされたもので、簡単な構造で、被貼付面に対して両面粘着剤層をスポット状あるいはライン状のいずれにも選択して貼付できるようにした両面テープ・ディスペンサを提供することを課題とするものである。
【課題を解決するための手段】
【０００８】
上記課題を解決するために、請求項１記載の発明は、剥離紙に両面粘着剤層が積層されたロール状の両面テープを保持する回転可能な両面テープ保持体と、上記両面テープから剥離される剥離紙を巻き取る回転可能な剥離紙保持体と、上記両保持体にそれぞれ設けられ互いに噛合するギアと、上記両面テープ保持体から引き出された両面テープを被貼付面に押圧する支持部材と、を具備するディスペンサ本体と、  上記ディスペンサ本体を摺動自在に嵌装する筒状のケースと、  上記ディスペンサ本体とケースとの間に介在され、上記ディスペンサ本体を常時ケースから離反する方向へ弾性力を付勢するばね部材と、  上記ばね部材の弾性力に抗して上記ディスペンサ本体を上記ケース内に押し付けた際に、ケースに取り付けられたラックに噛合すると共に、上記剥離紙保持体に設けられたギアに噛合し、上記支持部材により両面テープの両面粘着剤層が被貼付面に押圧された状態で噛合が解かれるピニオンと、を具備してなり、  上記ディスペンサ本体を上記ケース内に押し付けて上記支持部材が両面テープの両面粘着剤層を被貼付面に押圧した後、ディスペンサ本体の押し付けを解除することにより、両面粘着剤層を被貼付面にスポット状に貼付し、あるいは、両面粘着剤層を被貼付面に押圧した状態で上記ディスペンサ本体及びケースを被貼付面上に沿って移動することにより、両面粘着剤層を被貼付面上にライン状に貼付する、ことを特徴とする。
【０００９】
また、請求項２記載の発明は、剥離紙に両面粘着剤層が積層されたロール状の両面テープを保持する回転可能な両面テープ保持体と、上記両面テープから剥離される剥離紙を巻き取る回転可能な剥離紙保持体と、上記両保持体にそれぞれ設けられ互いに噛合するギアと、上記両面テープ保持体から引き出された両面テープを被貼付面に押圧する支持部材と、を具備するディスペンサ本体と、  上記ディスペンサ本体を摺動自在に嵌装する筒状のケースと、  上記ディスペンサ本体とケースとの間に介在され、上記ディスペンサ本体を常時ケースから離反する方向へ弾性力を付勢するばね部材と、  上記ばね部材の弾性力により上記ディスペンサ本体が上記ケースから離反する際に、ケースに取り付けられたラックに噛合すると共に、上記剥離紙保持体に設けられたギアに噛合し、かつ、上記ばね部材の弾性力に抗してディスペンサ本体をケース内に押し付けた際に、上記支持部材により両面テープの両面粘着剤層が被貼付面に押圧された状態で噛合が解かれるピニオンと、を具備してなり、  上記ディスペンサ本体を上記ケース内に押し付けて上記支持部材が両面テープの両面粘着剤層を被貼付面に押圧した後、ディスペンサ本体の押し付けを解除することにより、両面粘着剤層を被貼付面にスポット状に貼付し、あるいは、両面粘着剤層を被貼付面に押圧した状態で上記ディスペンサ本体及びケースを被貼付面上に沿って移動することにより、両面粘着剤層を被貼付面上にライン状に貼付する、ことを特徴とする。
【００１０】
この発明において、上記両面テープにおける両面粘着剤層に、両面テープの長手方向に沿って適宜間隔をおいて切り込みを形成しておく方が好ましい（請求項３）。また、上記両面テープにおける両面粘着剤層を、剥離紙の全面に均一なドット状に積層してもよく（請求項４）、あるいは、上記両面テープにおける両面粘着剤層を、円形，四角形，三角形又はハート形等のパターン形状に形成すると共に、各パターン形状を両面テープの長手方向に沿って適宜間隔をおいて剥離紙に積層してもよい（請求項５）。
【００１１】
また、請求項６記載の発明は、請求項１，３，４又は５に記載の両面テープ・ディスペンサにおいて、上記ピニオンは、ディスペンサ本体に対して該ディスペンサ本体の摺動方向に移動可能な軸に装着されると共に、ディスペンサ本体がケースから離反した状態において剥離紙保持体に設けられたギアと接触すべく補助ばね部材の弾性力が付勢されていることを特徴とする。
【００１２】
また、請求項７記載の発明は、請求項２，３，４又は５に記載の両面テープ・ディスペンサにおいて、上記ピニオンは、ディスペンサ本体に対して該ディスペンサ本体の摺動方向に移動可能な軸に装着されると共に、ディスペンサ本体がケース内に押し付けられた状態において剥離紙保持体に設けられたギアと接触すべく補助ばね部材の弾性力が付勢されている、ことを特徴とする。
【００１３】
また、上記発明において、上記ケースの先端側端部の左右両側に、被貼付面上を走行可能なガイド車輪を更に具備する方が好ましい（請求項８）。
【００１４】
また、上記両面テープに、外側に両面粘着剤層を有するロール状を用いることができ、この場合は、両面テープ保持体から引き出される両面テープが支持部材を介して剥離紙保持体に案内されている方がよい（請求項９）。また、上記両面テープに、内側に両面粘着剤層を有するロール状を用いた場合は、両面テープ保持体から引き出される両面テープがガイドによって表裏反転された後、支持部材を介して剥離紙保持体に案内されている方がよい（請求項１０）。
【００１５】
また、上記剥離紙保持体に設けられるギアは、両面テープ保持体に設けられるギアと噛合するギアと、ピニオンと噛合するギアの二つであっても差し支えなく、両面テープ保持体に設けられるギアとピニオンと共に噛合する一つのギアで兼用してもよい（請求項１１）。
【００１６】
また、請求項１２記載の発明は、請求項１ないし１１のいずれかに記載の両面テープ・ディスペンサにおいて、上記両面テープ保持体又は剥離紙保持体のいずれか一方に、逆転防止機構を具備すると共に、上記両面テープ保持体は、両面テープの引き出し方向に過剰な力が加わった際に回転が可能に形成されていることを特徴とする。
【００１７】
また、請求項１３記載の発明は、請求項１ないし１２のいずれかに記載の両面テープ・ディスペンサにおいて、上記両面テープ保持体及び剥離紙保持体は、両面テープの引き出し方向及び剥離紙の巻き取り方向に過剰な力が加わった際に各保持体に設けたギアに対して回転が可能に形成され、かつ、両面テープ保持体の回転摩擦力に対して剥離紙保持体の回転摩擦力を大きくなるように形成してなる、ことを特徴とする。
【００１８】
また、請求項１４記載の発明は、請求項１ないし１３のいずれかに記載の両面テープ・ディスペンサにおいて、上記支持部材と剥離紙保持体との間に、剥離紙に接触して回転可能なテープ移動量調整用のローラを配設し、このローラの回転軸に、ローラの回転方向と反対方向に弾性力が付勢される回転停止用の係止爪を装着し、上記係止爪を上記剥離紙保持体に設けられたギアに係合可能に形成してなる、ことを特徴とする。
【００１９】
また、請求項１５記載の発明は、請求項１ないし１３のいずれかに記載の両面テープ・ディスペンサにおいて、上記支持部材と剥離紙保持体との間に、剥離紙に接触して回転可能なローラを配設し、このローラの回転軸に、ローラの回転方向と反対方向に弾性力が付勢され、かつ、該ローラの回転によりピニオンに係合して該ピニオンをラックとの噛合を解除する方向に移動するカムを装着してなる、ことを特徴とする。
【００２０】
加えて、請求項１６記載の発明は、請求項１ないし１５のいずれかに記載の両面テープ・ディスペンサにおいて、上記ディスペンサ本体は、両面テープ保持体に予め両面テープを保持すると共に、両面テープの引き出し側端部を巻き取る剥離紙保持体を内蔵しており、上記ディスペンサ本体をケースに着脱可能に形成してなる、ことを特徴とする。
【発明の効果】
【００２１】
この発明の両面テープ・ディスペンサによれば、上記のように構成されているので、以下のような効果が得られる。
【００２２】
（１）請求項１，２，９，１０記載の発明によれば、ケースに摺動可能に嵌装されるディスペンサ本体をケース内に押し付けて支持部材が両面テープの両面粘着剤層を被貼付面に押圧した後、ディスペンサ本体の押し付けを解除することにより、支持部材によって被貼付面に押圧された両面粘着剤層が被貼付面にスポット状に残る。また、両面粘着剤層を被貼付面に押圧した状態でディスペンサ本体及びケースを被貼付面上に沿って移動することにより、両面粘着剤層を被貼付面上にライン状に押圧することができ、その後、ディスペンサ本体の押し付けを解除することで、被貼付面上に両面粘着剤層を所定の長さのライン状に貼付することができる。したがって、切断手段を必要とすることなく、ディスペンサ本体の押し付けと押しつけの解除の簡単な操作のみによって、被貼付面上に両面粘着剤層をスポット状あるいは所定の長さのライン状に貼付することができる。
【００２３】
（２）請求項３〜５記の載発明によれば、両面テープにおける両面粘着剤層に、両面テープの長手方向に沿って適宜間隔をおいて切り込みを形成するか、両面粘着剤層を、剥離紙の全面に均一なドット状に積層、あるいは、円形，四角形，三角形又はハート形等のパターン形状に形成された両面粘着剤層を、両面テープの長手方向に沿って適宜間隔をおいて剥離紙に積層するので、剥離紙と被貼付面に押圧された両面粘着剤層との分離を容易にすることができ、上記（１）に加えて、更に両面粘着剤層の貼付を容易かつ正確にすることができる。
【００２４】
（３）請求項６，７記載の発明によれば、ピニオンは、ディスペンサ本体に対して該ディスペンサ本体の摺動方向に移動可能な軸に装着されると共に、ディスペンサ本体がケースから離反した状態、又は、ディスペンサ本体をケース内に押し付けた状態において剥離紙保持体に設けられたギアと接触すべく補助ばね部材の弾性力が付勢されているので、上記（１），（２）に加えて、更にディスペンサ本体の押し付け操作時又は離反時に、剥離紙保持体に設けられたギアとピニオンとの衝撃を緩和することができ、また、ピニオンとギアとの噛合を円滑にして両面テープの引き出しを確実にすることができる。また、支持部材を横方向や上方向に向けて操作する際、外れたピニオンが不用意に移動してラックに噛み合わなくなるトラブルを回避することができる。
【００２５】
（４）請求項８記載の発明によれば、ケースの先端側端部の左右両側に、被貼付面上を走行可能なガイド車輪を具備するので、ケースの移動をスムースにすることができると共に、方向性をもたせることができる。したがって、上記（１）〜（３）に加えて、更にライン状の貼付を容易かつ正確に行うことができる。
【００２６】
（５）請求項１１記載の発明によれば、剥離紙保持体に設けられるギアを、両面テープ保持体に設けられるギアとピニオンと共に噛合する一つのギアで兼用することにより、上記（１）〜（４）に加えて、更に構成部材の削減が図れる。
【００２７】
（６）請求項１２記載の発明によれば、両面テープ保持体又は剥離紙保持体のいずれか一方に、逆転防止機構を具備することにより、両面テープ保持体から引き出される両面テープの弛みを防止することができる。また、両面テープ保持体は、両面テープの引き出し方向に過剰な力が加わった際に回転が可能に形成されることにより、両面テープ保持体と剥離紙保持体との間に緊張状態にある両面テープに、該両面テープの引き出し方向に過剰な力が加わったとしても両面テープ保持体が回転するので、両面テープが切断する虞がなく、貼付作業に支障をきたすことがない。
【００２８】
（７）請求項１３記載の発明によれば、両面テープ保持体及び剥離紙保持体は、両面テープの引き出し方向及び剥離紙の巻き取り方向に過剰な力が加わった際に各保持体に設けたギアに対して回転が可能に形成され、かつ、両面テープ保持体の回転摩擦力に対して剥離紙保持体の回転摩擦力を大きくなるように形成することにより、両面テープ保持体と剥離紙保持体との間に緊張状態にある両面テープに、該両面テープの引き出し方向及び剥離紙保持体の巻き取り方向に過剰な力が加わったとしても、剥離紙保持体より先に両面テープ保持体が回転するので、両面テープが切断する虞がなく、貼付作業に支障をきたすことがない。
【００２９】
また、両面テープ保持体のギアと剥離紙保持体のギアが噛合して、剥離紙を巻き取り、両面テープが引き出される際に、両面テープの引き出し量（送り量）が剥離紙の巻き取り量より少なくなるように、この送り量のギャップを両面テープ保持体と該保持体のギアをスリップ構造とすることによって調整するので、両面テープの弛みを防止することができる。
【００３０】
また、剥離紙保持体をスリップ構造とすると共に、両面テープの引き出し量（送り量）のギャップを両面テープ保持体のスリップにより調整することができるので、両面テープ・ディスペンサの使い始めと使い終わりでの両面テープの引き出し量（送り量）を一定にすることができる。
【００３１】
（８）請求項１４記載の発明によれば、支持部材と剥離紙保持体との間に、剥離紙に接触して回転可能なテープ移動量調整用のローラを配設し、このローラの回転軸に、ローラの回転方向と反対方向に弾性力が付勢される回転停止用の係止爪を装着し、係止爪を剥離紙保持体に設けられたギアに係合可能に形成することにより、上記（１）〜（７）に加えて、更に剥離紙保持体が巻き取る剥離紙の量によって径が変化した場合でも両面テープを一定量引き出すことができ、所定の長さの両面粘着剤層を貼付することができる。
【００３２】
（９）請求項１５記載の発明によれば、支持部材と剥離紙保持体との間に、剥離紙に接触して回転可能なローラを配設し、このローラの回転軸に、ローラの回転方向と反対方向に弾性力が付勢され、かつ、該ローラの回転によりピニオンに係合して該ピニオンをラックとの噛合を解除する方向に移動するカムを装着することにより、上記（１）〜（７）に加えて、更に両面テープの引き出し長さを任意の長さにして、両面粘着剤層を貼付することができる。
【００３３】
（１０）請求項１６記載の発明によれば、ディスペンサ本体は、両面テープ保持体に予め両面テープを保持すると共に、両面テープの引き出し側端部を巻き取る剥離紙保持体を内蔵しており、ディスペンサ本体をケースに着脱可能に形成することにより、上記（１）〜（９）に加えて、更にディスペンサ本体をカートリッジ式にすることができるので、両面テープの交換を容易にすることができる。
【発明を実施するための最良の形態】
【００３４】
以下に、この発明の最良の実施形態を添付図面に基づいて詳細に説明する。
【００３５】
◎第１実施形態
図１は、この発明に係る両面テープ・ディスペンサの第１実施形態の全体を示す概略断面図である。
【００３６】
上記両面テープ・ディスペンサは、剥離紙２に両面粘着剤層３が積層されたロール状の両面テープ１を収容する一端（図面では下端）が開口する略矩形箱状のディスペンサ本体１０と、このディスペンサ本体１０を摺動可能に嵌装する両端（図面では上下端）が開口する矩形筒状のケース２０と、ディスペンサ本体１０とケース２０との間に介在され、ディスペンサ本体１０を常時ケースから離反する方向へ弾性力を付勢するばね部材３０とを具備している。
【００３７】
この場合、両面テープ１は、図２に示すように、内側に両面粘着剤層３を有するロール状に形成されている。ここで、両面粘着剤層３は、例えば不織布，和紙あるいはフィルム等からなる心材４の両面に粘着剤５を積層したサンドイッチ構造に形成されており、一方の粘着剤５に剥離紙２が積層されている。なお、この場合、両面粘着剤層３の厚さは心材４の厚さ５〜５０μｍを含めて約２０〜２００μｍであり、剥離紙２の厚さは４０〜２００μｍである。また、両面テープ１における両面粘着剤層３は、両面テープ１の長さ方向に沿って適宜間隔例えば２ｍｍ間隔に切り込み６が形成されている。
【００３８】
上記ディスペンサ本体１０には、両面テープ１を保持する回転可能な両面テープ保持体１１と、両面テープ１から剥離される剥離紙２を巻回する回転可能な剥離紙保持体１２と、両面テープ保持体１１の回転軸部１１ａと剥離紙保持体１２の回転軸部１２ａにそれぞれ設けられ互いに噛合する第１及び第２のギア１３ａ，１３ｂと、両面テープ保持体１１から引き出された両面テープ１を被貼付面７に押圧する略矩形板状の支持部材１４と、両面テープ保持体１１から引き出される両面テープ１の剥離紙側に係合して両面テープ１の表裏を反転して支持部材１４側に案内するガイド１５が設けられている。
【００３９】
また、両面テープ保持体１１には、両面テープ１の引き出し側の弛み防止するために逆転防止機構例えばラチェット機構１６が設けられている。この場合、ラチェット機構１６は、ディスペンサ本体１０に固定される面方向に歯部を有するラチェットホィール１６ａと、両面テープ保持体１１に突設される弾性変形可能なアーム１６ｂの先端部に設けられてラチェットホィール１６ａに一方向（両面テープ保持体１１の逆転方向）に係合する爪部１６ｃとで構成されている。なお、このラチェット機構１６を両面テープ保持体１１に設ける代わりに剥離紙保持体１２に設けてもよい。また、両面テープ保持体１１は回転軸部１１ａに適度な摩擦で嵌合されており、両面テープ１の引き出し方向に過剰な力が加わるとスリップするようになっている。このように構成することにより、両面テープ保持体１１と剥離紙保持体１２との間に緊張状態にある両面テープ１に、該両面テープ１の引き出し方向に過剰な力が加わったとしても両面テープ保持体１１が回転することで、両面テープ１の切断を防止することができ、貼付作業に支障をきたすことがない。
【００４０】
また、ディスペンサ本体１０の先端の開口部側には、ディスペンサ本体１０のケース２０に対する移動方向に沿うガイド溝１７ａが設けられており、このガイド溝１７ａ内に摺動可能に嵌挿される可動部材１７ｂに突設される軸１７ｃにピニオン１８が装着されている。このピニオン１８を支持する可動部材１７ｂと、上記支持部材１４を取り付けるために、ディスペンサ本体１０の開口部に架設された取付部材１４ａとの間には、補助ばね部材１９が縮設されている。これにより、補助ばね部材１９の弾性力の付勢によって、ピニオン１８は常時ディスペンサ本体１０の基端側（図面では上方側）に移動されて、ディスペンサ本体１０がケース２０から離反した状態においても上記剥離紙保持体１２に設けられた第２のギア１３ｂに接触している。
【００４１】
また、上記ケース２０には、上記ディスペンサ本体１０がケース２０内に押し付けられる過程において、上記ピニオン１８が噛合するラック２１が取り付けられている。この場合、ラック２１は、上記ばね部材３０の弾性力に抗してディスペンサ本体１０をケース２０内に押し付けた際に、ピニオン１８と噛合し、支持部材１４により両面テープ１の両面粘着剤層３が被貼付面７に押圧された状態で噛合が解かれるようになっている。
【００４２】
また、ケース２０の先端側端部（図面では下端側端部）の左右両側の４箇所には、被貼付面７上を走行可能なガイド車輪２２が取り付けられている。このように、ケース２０の左右両側の４箇所にガイド車輪２２を設けることにより、ケース２０の移動をスムースにすることができると共に、方向性をもたせることができるので、ライン状の貼付作業を簡単かつ正確に行うことができる。
【００４３】
なお、ケース２０の対向する側壁２０ａには、それぞれディスペンサ本体１０の押し付け方向に沿うガイド孔２３が設けられており、ガイド孔２３よりディスペンサ本体１０側の側壁１０ａの外面に突設される上部支持ピン２４と、ディスペンサ本体１０の対向する側壁１０ａから突出してガイド孔２３内を移動自在に貫通する下部支持ピン２５との間に、上記ばね部材３０が張設されている。したがって、ばね部材３０の引っ張りによる弾性力が付勢してディスペンサ本体１０が常時ケース２０から離反した状態となっている。
【００４４】
なお、ディスペンサ本体１０の基端部（図面では上端部）の表面に、両面粘着剤層３をライン状に貼付する場合の両面テープ・ディスペンサの移動を示唆する矢印（図示せず）を施しておく方が望ましい。
【００４５】
次に、第１実施形態の両面テープ・ディスペンサの動作態様について、図３ないし図６を参照して説明する。
【００４６】
＜スポット貼付＞
被貼付面７に両面粘着剤層３をスポット状に貼付するには、まず、両面テープ・ディスペンサを被貼付面７の貼付する位置にセットする（図３（ａ）参照）。この状態で、ディスペンサ本体１０をばね部材３０の弾性力に抗してケース２０内に押し込む。すると、ピニオン１８がラック２１に噛合して時計方向に回転すると共に、第２のギア１３ｂが反時計方向に回転し、かつ、第２のギア１３ｂと噛合する第１のギア１３ａが時計方向に回転する（図３（ｂ），（ｃ）参照）。これにより、両面テープ保持体１１から両面テープ１が引き出され、剥離紙保持体１２側に巻き取られる。更に、ディスペンサ本体１０を押し下げると、ピニオン１８とラック２１の噛合が解かれて剥離紙保持体１２の巻き取りが停止し、支持部材１４によって両面テープ１の両面粘着剤層３が被貼付面７に押圧される（図３（ｄ），図５参照）。この状態でディスペンサ本体１０の押し込みを解除すると、ばね部材３０の弾性力の付勢によってディスペンサ本体１０はケース２０から離反する一方、被貼付面７に押圧された両面粘着剤層３は支持部材１４の端部近傍に位置する切り込み６を境にして被貼付面７に粘着して残り、剥離紙２はディスペンサ本体１０と共に被貼付面７から離れる（図３（ｅ），図６参照）。このディスペンサ本体１０がケース２０から離反する過程において、ピニオン１８が再びラック２１と噛合するが、この際に生じる抵抗力で第２のギア１３ｂから離反する方向に移動し、第２のギア１３ｂとの噛合が解かれる。その後、ディスペンサ本体１０は、ばね部材３０の弾性力（弾発力）によってケース２０から離反して使用初期の状態に戻り、次の貼付に備える（図３（ｆ）参照）。
【００４７】
＜ライン貼付＞
被貼付面７に両面粘着剤層３をライン状に貼付するには、スポット状に貼付する場合と同様に、両面テープ・ディスペンサを被貼付面７の貼付する位置にセットした状態で、ディスペンサ本体１０をばね部材３０の弾性力に抗してケース２０内に押し込んで、支持部材１４により両面テープ１の両面粘着剤層３を被貼付面７に押圧する（図４（ａ）参照）。この状態のままディスペンサ本体１０及びケース２０をディスペンサ本体１０に施された矢印（図示せず）に従って移動して、両面粘着剤層３をライン状に被貼付面７に貼付する（図４（ｂ）参照）。両面粘着剤層３を所定の長さ貼付した後、ディスペンサ本体１０の押し込みを解除すると、ばね部材３０の弾性力の付勢によってディスペンサ本体１０はケース２０から離反する一方、被貼付面７に押圧された両面粘着剤層３は支持部材１４の端部近傍に位置する切り込み６を境にして被貼付面７に粘着して残り、剥離紙２はディスペンサ本体１０と共に被貼付面７から離れる（図４（ｃ），図６参照）。このディスペンサ本体１０がケース２０から離反する過程において、ピニオン１８が再びラック２１と噛合するが、この際に生じる抵抗力で第２のギア１３ｂから離反する方向に移動し、第２のギア１３ｂとの噛合が解かれる。その後、ディスペンサ本体１０は、ばね部材３０の弾性力（弾発力）によってケース２０から離反して使用初期の状態に戻り、次の貼付に備える（図４（ｄ）参照）。
【００４８】
◎第２実施形態
図７は、この発明に係る両面テープ・ディスペンサの第２実施形態の全体を示す概略断面図、図８は、第２実施形態に使用される両面テープの要部拡大断面図である。
【００４９】
第２実施形態は、基本構成は第１実施形態と同じであり、以下の点で第１実施形態と相違している。すなわち、図８に示すように、剥離紙２の外側に両面粘着剤層３を積層した両面テープ１Ａを使用する点で第１実施形態と相違している。この場合、両面テープ１Ａは、図８に示すように、外側に両面粘着剤層３を有するロール状に形成されており、第１実施形態の両面テープ１と同様に、両面粘着剤層３は、例えば不織布，和紙あるいはフィルム等からなる心材４の両面に粘着剤５を積層したサンドイッチ構造に形成され、一方の粘着剤５に剥離紙２が積層されている。また、両面テープ１における両面粘着剤層３は、両面テープ１の長さ方向に沿って適宜間隔例えば２ｍｍ間隔に切り込み６が形成されている。
【００５０】
また、第２実施形態では、ディスペンサ本体１０Ａの基端部（図面では上端部）がロール状の両面テープ１Ａに沿う円弧状に形成される点、両面テープ保持体１１から引き出される両面テープ１が支持部材１４を介して剥離紙保持体１２に巻き取られるようにした点、ディスペンサ本体１０Ａとケース２０との間に介在される圧縮ばね部材３０Ａの弾性力（弾発力）によって常時ディスペンサ本体１０Ａとケース２０との間をケース２０から離反させるようにした点、及び剥離紙保持体１２の回転軸部１２ａに装着される第３のギア１３ｃをピニオン１８に噛合させる点で第１実施形態と相違している。
【００５１】
なお、第２実施形態においても、第１実施形態と同様に逆転防止機構（図示せず）が具備されている。また、第２実施形態において、その他の部分は第１実施形態と同じであるので、同一部分には同一符号を付して、説明は省略する。
【００５２】
次に、第２実施形態の両面テープ・ディスペンサの動作態様について、図９及び図１０を参照して説明する。
【００５３】
＜スポット貼付＞
被貼付面７に両面粘着剤層３をスポット状に貼付するには、第１実施形態と同様に、まず、両面テープ・ディスペンサを被貼付面７の貼付する位置にセットする（図９（ａ）参照）。この状態で、ディスペンサ本体１０Ａをばね部材３０の弾性力に抗してケース２０内に押し込む。すると、ピニオン１８がラック２１に噛合して時計方向に回転すると共に、第３のギア１３ｃが反時計方向に回転し、かつ、第２のギア１３ｂと噛合する第１のギア１３ａが時計方向に回転する（図９（ｂ），（ｃ）参照）。これにより、両面テープ保持体１１から両面テープ１Ａが引き出され、剥離紙保持体１２側に巻き取られる。更に、ディスペンサ本体１０Ａを押し下げると、ピニオン１８とラック２１の噛合が解かれて剥離紙保持体１２の巻き取りが停止し、支持部材１４によって両面テープ１Ａの両面粘着剤層３が被貼付面７に押圧される（図９（ｄ）参照）。この状態でディスペンサ本体１０Ａの押し込みを解除すると、ばね部材３０の弾性力の付勢によってディスペンサ本体１０Ａはケース２０から離反する一方、被貼付面７に押圧された両面粘着剤層３は支持部材１４の端部近傍に位置する切り込み６を境にして被貼付面７に粘着して残り、剥離紙２はディスペンサ本体１０Ａと共に被貼付面７から離れる（図９（ｅ）参照）。このディスペンサ本体１０Ａがケース２０から離反する過程において、ピニオン１８が再びラック２１と噛合するが、この際に生じる抵抗力で第２のギア１３ｂから離反する方向に移動し、第３のギア１３ｃとの噛合が解かれる。その後、ディスペンサ本体１０Ａは、ばね部材３０Ａの弾性力（弾発力）によってケース２０から離反して使用初期の状態に戻り、次の貼付に備える（図９（ｆ）参照）。
【００５４】
＜ライン貼付＞
被貼付面７に両面粘着剤層３をライン状に貼付するには、スポット状に貼付する場合と同様に、両面テープ・ディスペンサを被貼付面７の貼付する位置にセットした状態で、ディスペンサ本体１０Ａをばね部材３０の弾性力に抗してケース２０内に押し込んで、支持部材１４により両面テープ１の両面粘着剤層３を被貼付面７に押圧する（図１０（ａ）参照）。この状態のままディスペンサ本体１０Ａ及びケース２０をディスペンサ本体１０Ａに施された矢印（図示せず）に従って移動して、両面粘着剤層３をライン状に被貼付面７に貼付する（図１０（ｂ）参照）。両面粘着剤層３を所定の長さ貼付した後、ディスペンサ本体１０Ａの押し込みを解除すると、ばね部材３０の弾性力の付勢によってディスペンサ本体１０Ａはケース２０から離反する一方、被貼付面７に押圧された両面粘着剤層３は支持部材１４の端部近傍に位置する切り込み６を境にして被貼付面７に粘着して残り、剥離紙２はディスペンサ本体１０Ａと共に被貼付面７から離れる（図１０（ｃ）参照）。このディスペンサ本体１０Ａがケース２０から離反する過程において、ピニオン１８が再びラック２１と噛合するが、この際に生じる抵抗力で第３のギア１３ｃから離反する方向に移動し、第３のギア１３ｃとの噛合が解かれる。その後、ディスペンサ本体１０Ａは、ばね部材３０Ａの弾性力（弾発力）によってケース２０から離反して使用初期の状態に戻り、次の貼付に備える（図１０（ｄ）参照）。
【００５５】
◎第３実施形態
図１１は、この発明に係る両面テープ・ディスペンサの第３実施形態の全体を示す概略断面図である。
【００５６】
第３実施形態は、剥離紙保持体１２が巻き取る剥離紙２の量によって径が変化した場合でも両面テープ１Ａを一定量引き出し、被貼付面７に所定の長さの両面粘着剤層３を貼付可能にした場合である。
【００５７】
すなわち、第３実施形態の両面テープ・ディスペンサは、図１１に示すように、第２実施形態における両面テープ・ディスペンサにおける支持部材１４と剥離紙保持体１２との間に、剥離紙２に接触して回転可能なテープ移動量調整用のローラ４０を配設し、このローラ４０の回転軸４０ａに、図示しないばね部材によってローラ４０の回転方向と反対方向に弾性力が付勢される回転停止用の係止爪４１を装着し、係止爪４１を剥離紙保持体１２に設けられた第４のギア１３ｄに係合可能に形成されている。このように構成することより、剥離紙保持体１２が巻き取る剥離紙２の量によって径が変化した場合でも両面テープ１Ａを一定量引き出すことができ、所定の長さの両面粘着剤層３を被貼付面７に貼付することができる。
【００５８】
また、第３実施形態の両面テープ・ディスペンサは、両面テープ保持体１１は回転軸部１１ａに適度な摩擦で嵌合されると共に、剥離紙保持体１２は回転軸部１２ａに適度な摩擦で嵌合されており、両面テープ１の引き出し方向及び剥離紙２の巻き取り方向に過剰な力が加わるとスリップするようになっている。この場合、図１１に示すように、両面テープ保持体１１の回転軸部１１ａの径に対して剥離紙保持体１２の回転軸部１２ａを大きくすることにより、両面テープ保持体１１の回転摩擦力に対して剥離紙保持体１２の回転摩擦力を大きくなるように形成されている。これにより、両面テープ保持体１１と剥離紙保持体１２との間に緊張状態にある両面テープ１Ａに、該両面テープ１Ａの引き出し方向及び剥離紙保持体１２の巻き取り方向に過剰な力が加わったとしても、剥離紙保持体１２より先に両面テープ保持体１１が回転するので、両面テープ１Ａが切断する虞がない。
【００５９】
また、両面テープ保持体１１の第１のギア１３ａと剥離紙保持体１２の第２のギア１３ｂが噛合して、剥離紙２を巻き取り、両面テープ１が引き出される際に、両面テープ１の引き出し量（送り量）が剥離紙２の巻き取り量より少なくなるように、この送り量のギャップを両面テープ保持体１１と該保持体１１の第１のギア１３ａをスリップ構造とすることによって調整するので、両面テープ１の弛みを防止することができる。
【００６０】
また、剥離紙保持体１２をスリップ構造とすると共に、両面テープ１の引き出し量（送り量）のギャップを両面テープ保持体１１のスリップにより調整することができるので、両面テープ・ディスペンサの使い始めと使い終わりでの両面テープ１の引き出し量（送り量）を一定にすることができる。
【００６１】
なお、第３実施形態において、その他の部分は上記第２実施形態と同じであるので、同一部分には同一符号を付して、説明は省略する。
【００６２】
次に、第３実施形態の両面テープ・ディスペンサの動作態様について、図１１及び図１２を参照して説明する。
【００６３】
被貼付面７に両面粘着剤層３を貼付するには、まず、両面テープ・ディスペンサを被貼付面７の貼付する位置にセットする（図１１参照）。この状態で、ディスペンサ本体１０Ａをばね部材３０の弾性力に抗してケース２０内に押し込む。すると、ピニオン１８がラック２１に噛合して時計方向に回転すると共に、第３のギア１３ｃが反時計方向に回転し、かつ、第２のギア１３ｂと噛合する第１のギア１３ａが時計方向に回転する（図１２（ａ）参照）。これにより、両面テープ保持体１１から両面テープ１Ａが引き出され、剥離紙保持体１２側に巻き取られると共に、ローラ４０がばね部材（図示せず）の弾性力に抗して時計方向に回転する。更に、ディスペンサ本体１０Ａを押し下げると、ピニオン１８とラック２１の噛合が解かれると共に、係止爪４１が第４のギア１３ｄに係合して剥離紙保持体１２の巻き取りが停止する（図１２（ｂ）参照）。すると、剥離紙保持体１２は剥離紙２を巻き取る力がなくなることで、剥離紙２に係る張力が緩まるので、ローラ４０及び係止爪４１はばね部材の弾性力で元の位置に復帰する（図１２（ｃ）参照）。更に、ディスペンサ本体１０Ａを押し下げると、支持部材１４によって両面テープ１Ａの両面粘着剤層３が被貼付面７に押圧される（図１２（ｄ）参照）。この状態でディスペンサ本体１０Ａの押し込みを解除すると、ばね部材３０の弾性力の付勢によってディスペンサ本体１０Ａはケース２０から離反する一方、被貼付面７に押圧された両面粘着剤層３は支持部材１４の端部近傍に位置する切り込み６を境にして被貼付面７に粘着して残り、剥離紙２はディスペンサ本体１０Ａと共に被貼付面７から離れる（図１２（ｅ）参照）。このディスペンサ本体１０Ａがケース２０から離反する過程において、ピニオン１８が再びラック２１と噛合するが、この際に生じる抵抗力で第２のギア１３ｂから離反する方向に移動し、第３のギア１３ｃとの噛合が解かれる。その後、ディスペンサ本体１０Ａは、ばね部材３０Ａの弾性力（弾発力）によってケース２０から離反して使用初期の状態に戻り、次の貼付に備える（図１２（ｆ）参照）。
【００６４】
◎第４実施形態
図１３は、この発明に係る両面テープ・ディスペンサの第４実施形態の要部を示す概略斜視図である。
【００６５】
第４実施形態は、両面テープの引き出し長さを任意の長さにできるようにした場合である。
【００６６】
すなわち、図１３に示すように、第４実施形態のテープ移動量調整用のローラ４０に代えて、支持部材１４と剥離紙保持体１２との間に、剥離紙２に接触して回転可能なローラ５０を配設し、このローラ５０の回転軸５０ａに、図示しないばね部材の弾性力によってローラ５０の回転方向と反対方向に弾性力が付勢され、かつ、該ローラ５０の回転によりピニオン１８に係合して該ピニオン１８をラック２１との噛合を解除する方向に移動するカム５１を装着した場合である。なお、この場合、カム５１は回転軸５０ａにスリップ可能に装着されている。
【００６７】
また、カム５１の外周面には突起５１ａが突設されており、ローラ５０の回転に伴ってカム５１が回転することによりピニオン１８をラック２１との噛合を解除した状態で、突起５１ａがディスペンサ本体１０Ａの内壁に突設された係止突起５２に当接して待機位置に停止される。なお、カム５１をローラ５０と一体に形成するようにしてもよい。この場合は、両面テープ１が引き出されている間、ピニオン１８とラック２１との噛合を解除し続けるだけの円周長が必要となる。
【００６８】
上記のように構成される第４実施形態の両面テープ・ディスペンサにおいて、ディスペンサ本体１０Ａをばね部材３０の弾性力に抗してケース２０内に押し込むと、ピニオン１８がラック２１に噛合して時計方向に回転すると共に、第３のギア１３ｃが反時計方向に回転し、かつ、第２のギア１３ｂと噛合する第１のギア１３ａが時計方向に回転する。これにより、両面テープ保持体１１から両面テープ１Ａが引き出され、剥離紙保持体１２側に巻き取られると共に、ローラ５０及びカム５１がばね部材（図示せず）の弾性力に抗して時計方向に回転し、これに伴ってカム５１によってピニオン１８が移動し、ラック２１との噛合が解かれて剥離紙保持体１２の巻き取りが停止する。更に、ディスペンサ本体１０Ａをばね部材３０の弾性力に抗してケース２０内に押し込んで、支持部材１４により両面テープ１の両面粘着剤層３を被貼付面７に押圧した状態で、ディスペンサ本体１０Ａ及びケース２０を移動して、両面粘着剤層３の任意の長さをライン状に被貼付面７に貼付することができる。そして、両面粘着剤層３を所定の長さ貼付した後、ディスペンサ本体１０Ａの押し込みを解除することで、被貼付面７に押圧された両面粘着剤層３を被貼付面７に粘着して残り、剥離紙２はディスペンサ本体１０Ａと共に被貼付面７から離れる。
【００６９】
◎第５実施形態
図１４は、この発明に係る両面テープ・ディスペンサの第５実施形態の全体を示す概略断面図である。
【００７０】
上記第１ないし第４実施形態では、ディスペンサ本体１０，１０Ａをケース２０内に押し付ける際に両面テープ１，１Ａの引き出しを行う構造について説明したが、第５実施形態は、ディスペンサ本体１０Ａをケース２０から離反する際に両面テープ１Ａの引き出しを行うようにした場合である。
【００７１】
すなわち、図１４に示すように、ディスペンサ本体１０Ａに取り付けられるピニオン１８と、ケース２０に取り付けられるラック２１を、剥離紙保持体１２に設けられた第３のギア１３ｃの中心部より上部側に位置させ、ばね部材３０Ａの弾性力によりディスペンサ本体１０Ａがケース２０から離反する際に、ピニオン１８をラック２１に噛合すると共に、剥離紙保持体１２に設けられた第３のギア１３ｃに噛合し、かつ、ばね部材３０Ａの弾性力に抗してディスペンサ本体１０Ａをケース２０内に押し付けた際に、支持部材１４により両面テープ１Ａの両面粘着剤層３が被貼付面７に押圧された状態で噛合が解かれるように構成されている。
【００７２】
なお、ディスペンサ本体１０の中間部には、ディスペンサ本体１０Ａのケース２０に対する移動方向に沿うガイド孔１７ｄが設けられており、このガイド孔１７ｄ内に摺動可能に嵌挿される可動部材１７ｂに突設される軸１７ｃにピニオン１８が装着されている。このピニオン１８を支持する可動部材１７ｂと、ガイド孔１７ｄの上端部との間には、補助ばね部材１９Ａが縮設されている。これにより、補助ばね部材１９Ａの弾性力の付勢によって、ピニオン１８は常時ディスペンサ本体１０Ａの先端側（図面では下方側）に移動されて、ディスペンサ本体１０Ａがケース２０から離反した状態においても剥離紙保持体１２に設けられた第３のギア１３ｃに接触している。
【００７３】
なお、第５実施形態において、その他の部分は、第２実施形態と同じであるので、同一部分には同一符号を付して、説明は省略する。
【００７４】
◎第６実施形態
図１５は、この発明に係る両面テープ・ディスペンサの第６実施形態を示す概略斜視図である。
【００７５】
第６実施形態は、ディスペンサ本体をカートリッジ式にして、両面テープの交換を容易に行えるようにした場合である。
【００７６】
第６実施形態の両面テープ・ディスペンサは、図１５に示すように、ディスペンサ本体１０に、予め両面テープ１を保持する両面テープ保持体１１と、両面テープ１の引き出し側端部を巻き取る剥離紙保持体１２と、支持部材１４及びピニオン（図示せず）を内蔵したカートリッジ式に形成されている。また、カートリッジ式のディスペンサ本体１０をケース２０に着脱可能に取り付けるために、ディスペンサ本体１０の対向する側壁１０ａには、略矩形状の切欠き６０が設けられており、ケース２０の対向する側壁２０ａには、切欠き６０に係合可能な係合爪６１を先端に有するフック６２が図示しないばね部材の弾性力が係止方向に付勢された状態で揺動可能に取り付けられている。なお、ディスペンサ本体１０の側壁１０ａの一部にはラック２１との干渉を避けるためのスリット６３が設けられている。
【００７７】
上記のように構成される両面テープ・ディスペンサによれば、ディスペンサ本体１０をケース２０内に挿入してフック６２をばね部材の弾性力に抗して外側に変位させた後、切欠き６０内に係合爪６１を突入させた状態で、ディスペンサ本体１０をケース２０に取り付けた状態で、使用することができる。また、両面テープ１の全てが引き出された場合は、フック６２をばね部材の弾性力に抗して外側に変位させた状態で、ディスペンサ本体１０をケース２０から取り出すことができる。したがって、両面テープ１の交換を容易にすることができる。
【００７８】
なお、第６実施形態において、圧縮ばね部材３０Ａが用いられているが、その他の部分は第１ないし第５実施形態と同じであるので、同一部分には同一符号を付して、説明は省略する。
【００７９】
◎その他の実施形態
（１）上記実施形態では、両面テープ１，１Ａの両面粘着剤層３に切り込み６を設ける場合について説明したが、この構造以外の両面テープを使用することも可能である。
【００８０】
例えば、図１６（ａ）に示すように、両面粘着剤層３Ａを、例えば幅が約１０ｍｍの剥離紙２の全面に均一な例えば直径が１〜２ｍｍのドット状に積層した構造、あるいは、円形の両面粘着剤層３Ｂ，四角形の両面粘着剤層３Ｃ，三角形の両面粘着剤層３Ｄ又はハート形の両面粘着剤層３Ｅ等の任意のパターン形状に形成された両面粘着剤層を、両面テープ１の長手方向に沿って適宜間隔をおいて剥離紙２に積層する構造としてもよい（図１６（ｂ）〜（ｅ）参照）。このような構造においても、剥離紙２と被貼付面７に押圧された両面粘着剤層３Ａ〜３Ｅとの分離を容易にすることができ、両面粘着剤層３Ａ〜３Ｅの貼付を容易かつ正確にすることができる。
【００８１】
（２）上記第１実施形態では、ピニオン１８が、両面テープ保持体１１に設けられた第１のギア１３ａと噛合する剥離紙保持体１２に設けられた第２のギア１３ｂと噛合し、第２，３，５実施形態では、ピニオン１３が、剥離紙保持体１２に設けられた第３のギア１３ｃと噛合する場合について説明したが、ピニオン１８は、第２のギア１３ｂ又は第３のギア１３ｃのいずれに噛合するものであってもよい。ただ、ピニオン１８を第２のギア１３ｂと噛合させることにより、構成部材を削減することができる点で有利である。
【００８２】
（３）上記第１実施形態では、ディスペンサ本体１０をケース２０から離反させるばね部材３０が引っ張りばねであり、第２，３，５，６実施形態では、ディスペンサ本体１０Ａをケース２０から離反させるばね部材３０Ａが圧縮ばねである場合について説明したが、第１実施形態と第２，３，５，６実施形態のばね部材を逆にしてもよい。
【００８３】
（４）この発明において、使用する両面テープ１，１Ａは、心材を含むものや、心材を含まない剥離紙２と両面粘着剤層３とからなる両面テープいわゆるテープのりも含まれる。
【図面の簡単な説明】
【００８４】
【図１】この発明に係る両面テープ・ディスペンサの第１実施形態の全体を示す概略断面図である。
【図２】第１実施形態における両面テープの要部拡大断面図である。
【図３】第１実施形態の両面テープ・ディスペンサにより両面粘着剤層をスポット状に貼付する場合の動作態様を示す概略断面図である。
【図４】第１実施形態の両面テープ・ディスペンサにより両面粘着剤層をライン状に貼付する場合の動作態様を示す概略断面図である。
【図５】この発明における支持部材によって両面粘着剤層を被貼付面に押圧した状態を示す要部断面図（ａ）及び（ａ）のＩ部拡大断面図（ｂ）である。
【図６】この発明における両面テープの両面粘着剤層を被貼付面にスポット状に貼付した状態を示す要部断面図（ａ）及び（ａ）の要部を示す拡大断面図（ｂ）である。
【図７】この発明に係る両面テープ・ディスペンサの第２実施形態の全体を示す概略断面図である。
【図８】第２実施形態における両面テープの要部拡大断面図である。
【図９】第２実施形態の両面テープ・ディスペンサにより両面粘着剤層をスポット状に貼付する場合の動作態様を示す概略断面図である。
【図１０】第２実施形態の両面テープ・ディスペンサにより両面粘着剤層をライン状に貼付する場合の動作態様を示す概略断面図である。
【図１１】この発明に係る両面テープ・ディスペンサの第３実施形態の全体を示す概略断面図である。
【図１２】第３実施形態の両面テープ・ディスペンサの動作態様を示す概略断面図である。
【図１３】この発明に係る両面テープ・ディスペンサの第４実施形態の要部を示す概略斜視図である。
【図１４】この発明に係る両面テープ・ディスペンサの第５実施形態の全体を示す概略断面図である。
【図１５】この発明に係る両面テープ・ディスペンサの第６実施形態の要部を示す概略斜視図である。
【図１６】この発明における両面テープの別の形態を示す概略平面図である。
【符号の説明】
【００８５】
１，１Ａ  両面テープ
２  剥離紙
３，３Ａ〜３Ｅ  両面粘着剤層
６  切り込み
７  被貼付面
１０，１０Ａ  ディスペンサ本体
１１  両面テープ保持体
１１ａ  回転軸部
１２  剥離紙保持体
１２ａ  回転軸部
１３ａ  第１のギア
１３ｂ  第２のギア
１３ｃ  第３のギア
１３ｄ  第４のギア
１４  支持部材
１５  ガイド
１６  ラチェット機構（逆転防止機構）
１８  ピニオン
１９，１９Ａ  補助ばね部材
２０  ケース
２１  ラック
２２  ガイド車輪
３０，３０Ａ  ばね部材
４０  テープ移動量調整用ローラ
４１  係止爪
５０  ローラ
５１  カム
６０  切欠き
６１  係合爪
６２  フック
【図１】
0004678733.tif 000002
【図２】
0004678733.tif 000003
【図３】
0004678733.tif 000004
【図４】
0004678733.tif 000005
【図５】
0004678733.tif 000006
【図６】
0004678733.tif 000007
【図７】
0004678733.tif 000008
【図８】
0004678733.tif 000009
【図９】
0004678733.tif 000010
【図１０】
0004678733.tif 000011
【図１１】
0004678733.tif 000012
【図１２】
0004678733.tif 000013
【図１３】
0004678733.tif 000014
【図１４】
0004678733.tif 000015
【図１５】
0004678733.tif 000016
【図１６】
0004678733.tif 000017